Podtech/llm-jp-corpus-v4-ja_patent huggingface dataset:
【手続補正書】
【提出日】平成21年8月20日(2009.8.20)
【手続補正１】
【補正対象書類名】特許請求の範囲
【補正対象項目名】全文
【補正方法】変更
【補正の内容】
【特許請求の範囲】
【請求項１】
入力電圧を調整して出力する電源回路において、
前記入力電圧を前記入力電圧の変動範囲内に設定された目標電圧に昇圧して出力する昇圧手段と、
前記入力電圧を測定する測定手段と、
前記測定された前記入力電圧が第１の値未満のとき、前記目標電圧を第１の目標値に変更し、前記測定された前記入力電圧が第１の値以上のとき、前記目標電圧を前記第１の目標値よりも大きい第２の目標値に変更する変更手段とを備えることを特徴とする電源回路。
【請求項２】
請求項１に記載の電源回路において、
前記第１の目標値は前記第１の値であり、前記第２の目標値は前記入力電圧の変動範囲内における略最大値であることを特徴とする電源回路。
【請求項３】
被写体像を撮像する撮像素子と、
前記撮像素子から出力された画像信号に対して画像処理を施す画像処理回路と、
請求項１または２に記載した電源回路とを備え、
前記電源回路は、出力電圧を前記撮像素子または前記画像処理回路の少なくとも一方へ出力することを特徴とする撮像装置。
【請求項４】
請求項３に記載の撮像装置において、
前記測定手段は、前記撮像装置のメインスイッチがオンされた後、または前記撮像装置の低消費電力モードが解除された後に、前記入力電圧を測定することを特徴とする撮像装置。
【請求項５】
請求項３に記載の撮像装置において、
前記撮像素子から出力された画像信号を表示用信号に変換して所定のフレームレートで出力する信号出力手段と、
前記信号出力手段から出力された前記表示用信号に基づいてファインダ画像を表示する表示手段と、
前記表示手段に前記ファインダ画像が表示されていない状態において、前記ファインダ画像を表示する撮影モードへの移行を指示するモード移行指示手段とをさらに備え、
前記測定手段は、前記モード移行指示手段が前記撮影モードへの移行を指示したことに基づいて、前記入力電圧を測定することを特徴とする撮像装置。
【請求項６】
請求項５に記載の撮像装置において、
前記モード移行指示手段が前記撮影モードへの移行を指示したことに基づいて、前記電源回路から前記撮像素子への電力供給を開始することにより前記撮像素子を起動させ、前記信号出力手段の駆動開始を指示することにより前記表示手段に前記ファインダ画像の表示を開始させる制御手段をさらに備え、
前記測定手段は、前記撮像素子が起動した後であって前記表示手段に前記ファインダ画像が表示開始されるまでの期間に前記入力電圧を測定することを特徴とする撮像装置。
【手続補正２】
【補正対象書類名】明細書
【補正対象項目名】０００５
【補正方法】変更
【補正の内容】
【０００５】
本発明による電源回路は、入力電圧を調整して出力する電源回路において、入力電圧を入力電圧の変動範囲内に設定された目標電圧に昇圧して出力する昇圧手段と、入力電圧を測定する測定手段と、測定された入力電圧が第１の値未満のとき、目標電圧を第１の目標値に変更し、測定された入力電圧が第１の値以上のとき、目標電圧を第１の目標値よりも大きい第２の目標値に変更する変更手段とを備えることを特徴とする。
本発明では、第１の目標値は第１の値であり、第２の目標値は入力電圧の変動範囲内における略最大値とすることが好ましい。
本発明による撮像装置は、被写体像を撮像する撮像素子と、撮像素子から出力された画像信号に対して画像処理を施す画像処理回路と、上記いずれかの電源回路とを備え、電源回路は、出力電圧を撮像素子または画像処理回路の少なくとも一方へ出力することを特徴とする。
このとき、測定手段は、撮像装置のメインスイッチがオンされたとき、または撮像装置の低消費電力モードが解除された後に入力電圧を測定するようにしてもよい。
また、撮像素子から出力された画像信号を表示用信号に変換して所定のフレームレートで出力する信号出力手段と、信号出力手段から出力された表示用信号に基づいてファインダ画像を表示する表示手段と、表示手段にファインダ画像が表示されていない状態において、ファインダ画像を表示する撮影モードへの移行を指示するモード移行指示手段とをさらに備え、測定手段は、モード移行指示手段が撮影モードへの移行を指示したことに基づいて、入力電圧を測定するようにしてもよい。
このとき、モード移行指示手段が撮影モードへの移行を指示したことに基づいて、電源回路から撮像素子への電力供給を開始することにより撮像素子を起動させ、信号出力手段の駆動開始を指示することにより表示手段に前記ファインダ画像の表示を開始させる制御手段をさらに備え、測定手段は、撮像素子が起動した後であって表示手段にファインダ画像が表示開始されるまでの期間に入力電圧を測定することが好ましい。
【手続補正３】
【補正対象書類名】明細書
【補正対象項目名】００４４
【補正方法】変更
【補正の内容】
【００４４】
（５）Ａ／Ｄ１３ｂは、スリープモードがユーザによって解除されたときに入力電圧を測定するようにした。すなわち、ＤＳＰ／ＣＰＵ８がスタンバイ状態から撮影モードに復帰した後、電力が供給されることによりＣＣＤ２が駆動を開始してから所定時間後のＴ２のタイミングで入力電圧を測定するようにした。これによって、ＣＣＤ２に電力が供給されてから所定時間が経過すると、電源回路１３の入力電圧が安定することを加味して、最適なタイミングで入力電圧を測定することができる。
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
ネットワークを介して画像データを受信装置に送信する画像データ送信装置であって、
前記画像データを画像変換データファイルに変換する画像データ変換手段と、
前記画像変換データファイルのファイル情報を取得する取得手段と、
前記ファイル情報を前記受信装置に通知する通知手段と、
前記画像変換データファイルの送信方法に関する指示情報を受信する受信手段と、
前記指示情報に基づいて前記画像変換データファイルのファイル容量が減少するよう前記画像変換データを編集する画像データ編集手段と、
前記画像データ編集手段によって編集された前記画像変換データファイルを前記受信装置に送信する送信制御手段と
を備えたことを特徴とする画像データ送信装置。
【請求項２】
前記通知手段は、前記ファイル情報と共に前記画像変換データファイルの一部を前記受信装置に送信することを特徴とする請求項１に記載の画像データ送信装置。
【請求項３】
前記通知手段は、前記ファイル情報と共に前記画像変換データファイルのプレビュー版を前記受信装置に送信することを特徴とする請求項１又は２に記載の画像データ送信装置。
【請求項４】
ネットワークを介して画像データを受信装置に送信する画像データ送信装置により実行される画像データ送信方法であって、
前記画像データを画像変換データファイルに変換するステップと、
前記画像変換データファイルのファイル情報を取得するステップと、
前記ファイル情報を前記受信装置に通知するステップと、
前記画像変換データファイルの送信方法に関する指示情報を受信するステップと、
前記指示情報に基づいて前記画像変換データファイルのファイル容量が減少するよう前記画像変換データを編集するステップと、
前記編集された前記画像変換データファイルを前記受信装置に送信するステップと、
を含むことを特徴とする画像データ送信装置により実行される画像データ送信方法。
【請求項５】
前記ファイル情報を前記受信装置に通知するステップは、前記ファイル情報と共に前記画像変換データファイルの一部を前記受信装置に送信することを特徴とする請求項４に記載の画像データ送信方法。
【請求項６】
前記ファイル情報を前記受信装置に通知するステップは、前記ファイル情報と共に前記画像変換データファイルのプレビュー版を前記受信装置に送信することを特徴とする請求項４又は５に記載の画像データ送信方法。
【請求項７】
請求項４から６のいずれか一項に記載の前記画像データ送信方法を画像データ送信装置により実行させる画像データ送信プログラム。
【請求項８】
請求項７に記載の前記画像データ送信プログラムを格納したことを特徴とするコンピュータ読み取り可能な記録媒体。
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
撮像手段により生成される映像信号が従う第１の映像信号方式または第２の映像信号方式を設定する映像信号方式設定手段と、
前記第１の映像信号方式に対応する記録フォーマット、または前記第２の映像信号方式に対応する記録フォーマットに従って記録媒体の初期化処理を行う初期化手段と、
前記初期化手段によって初期化された記録媒体の記録フォーマットに対応する映像信号方式が、前記映像信号方式設定手段によって設定された映像信号方式と一致するか否かを判定する映像信号方式判定手段とを備え、
前記映像信号方式判定手段によって前記映像信号方式が一致していないと判定された場合に、前記映像信号方式設定手段は、前記記録媒体の記録フォーマットに対応する映像信号方式に設定を切り替えることを特徴とする撮像装置。
【請求項２】
撮像手段から得られた撮像信号を用いて、第１の映像信号方式に従う第１の映像信号、または前記第１の映像信号方式とは異なる第２の映像信号方式に従う第２の映像信号を生成する映像信号生成手段と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、
前記記録フォーマット選択手段により選択された記録フォーマットに従って前記記録媒体の初期化処理を行う初期化手段と、
前記映像信号生成手段により生成された第１の映像信号または第２の映像信号を前記初期化手段によって初期化処理された記録媒体に記録する記録手段と、
前記記録フォーマット選択手段により選択された記録フォーマットに応じて、前記映像信号生成手段により生成される映像信号が従う映像信号方式の設定を切り替える映像信号方式設定手段とを備えることを特徴とする撮像装置。
【請求項３】
前記記録媒体に記録される映像信号はファイルとして管理され、前記記録フォーマットは、前記記録媒体に記録された映像信号を管理するためのファイルフォーマットと、前記第１の映像信号方式または第２の映像信号方式との組み合わせにより予め決められていることを特徴とする請求項２に記載の撮像装置。
【請求項４】
前記第１の映像信号及び第２の映像信号はそれぞれ、解像度が互いに異なることを特徴とする請求項２に記載の撮像装置。
【請求項５】
前記映像信号生成手段は、前記撮像手段から得られた撮像信号を符号化する符号化手段を有し、
前記第１の映像信号及び第２の映像信号はそれぞれ、前記符号化手段による符号化方式が互いに異なることを特徴とする請求項２に記載の撮像装置。
【請求項６】
撮像手段により生成される映像信号が従う第１の映像信号方式または第２の映像信号方式を設定する映像信号方式設定工程と、
前記第１の映像信号方式に対応する記録フォーマット、または前記第２の映像信号方式に対応する記録フォーマットに従って記録媒体の初期化処理を行う初期化工程と、
前記初期化工程において初期化された記録媒体の記録フォーマットに対応する映像信号方式が、前記映像信号方式設定工程において設定された映像信号方式と一致するか否かを判定する映像信号方式判定工程とを備え、
前記映像信号方式判定工程において前記映像信号方式が一致していないと判定された場合に、前記映像信号方式設定工程においては、前記記録媒体の記録フォーマットに対応する映像信号方式に設定を切り替えることを特徴とする撮像装置の制御方法。
【請求項７】
撮像手段から得られた撮像信号を用いて、第１の映像信号方式に従う第１の映像信号、または前記第１の映像信号方式とは異なる第２の映像信号方式に従う第２の映像信号を生成する映像信号生成工程と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択工程と、
前記記録フォーマット選択工程において選択された記録フォーマットに従って前記記録媒体の初期化処理を行う初期化工程と、
前記映像信号生成工程において生成された第１の映像信号または第２の映像信号を前記初期化工程において初期化処理された記録媒体に記録する記録工程と、
前記記録フォーマット選択工程において選択された記録フォーマットに応じて、前記映像信号生成工程において生成される映像信号が従う映像信号方式の設定を切り替える映像信号方式設定工程とを備えることを特徴とする撮像装置の制御方法。
【請求項８】
前記記録媒体に記録された映像信号はファイルとして管理され、前記記録フォーマットは、前記記録媒体に記録された映像信号を管理するためのファイルフォーマットと、前記第１の映像信号方式または第２の映像信号方式との組み合わせにより予め決められていることを特徴とする請求項７に記載の撮像装置の制御方法。
【請求項９】
前記第１の映像信号及び第２の映像信号はそれぞれ、解像度が互いに異なることを特徴とする請求項７に記載の撮像装置の制御方法。
【請求項１０】
前記映像信号生成工程においては、前記撮像手段から得られた撮像信号を符号化する符号化工程を有し、
前記第１の映像信号及び第２の映像信号はそれぞれ、前記符号化工程における符号化方式が互いに異なることを特徴とする請求項７に記載の撮像装置の制御方法。
【手続補正２】
【補正対象書類名】明細書
【補正対象項目名】０００１
【補正方法】変更
【補正の内容】
【０００１】
本発明は撮像装置、及び撮像装置の制御方法に関し、特に、複数種類の映像信号を複数種類の記録フォーマットにて記録するために用いて好適な技術に関する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告手段を有することを特徴とする撮像装置。
【請求項２】
撮像手段で撮影された映像を、方式が異なる複数種類の映像信号として出力する映像信号生成手段と、
前記複数種類の映像信号のうちの一つを選択する映像選択手段と、
前記映像選択手段の選択結果に応じて前記映像信号生成手段により生成された映像信号を記録媒体に記録する記録手段と、
前記映像信号生成手段より出力される複数種類の映像信号をそれぞれ記録するための複数種類の記録フォーマットのうちの何れかを選択するフォーマット選択手段と、
前記フォーマット選択手段により選択された記録フォーマットに従って前記記録媒体を初期化処理する初期化手段と、
前記映像選択手段により選択されている種類の映像信号を、前記フォーマット選択手段によって選択された記録フォーマットで前記記録媒体に記録することが可能であるか否かを判別する記録可否判別手段と、
前記記録可否判別手段の判別結果に応じた警告を表示装置に表示する警告表示手段とを有することを特徴とする撮像装置。
【請求項３】
前記記録媒体は光学ディスクであり、前記フォーマットは、ファイルフォーマットと映像信号の記録方式の組み合わせからなる記録フォーマットであることを特徴とする請求項１または２に記載の撮像装置。
【請求項４】
前記複数種類の映像信号は、解像度の異なる複数の映像信号であることを特徴とする請求項２に記載の撮像装置。
【請求項５】
前記複数種類の映像信号は、映像信号の圧縮方式の異なる複数の映像信号であることを特徴とする請求項２に記載の撮像装置。
【請求項６】
前記複数種類の映像信号は、映像信号の圧縮率の異なる複数の映像信号であることを特徴とする請求項２に記載の撮像装置。
【請求項７】
装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有することを特徴とする撮像装置の制御方法。
【請求項８】
撮像工程で撮影された映像を、方式が異なる複数種類の映像信号として出力する映像信号生成工程と、
前記複数種類の映像信号のうちの一つを選択する映像選択工程と、
前記映像選択工程の選択結果に応じて前記映像信号生成工程において生成された映像信号を記録媒体に記録する記録工程と、
前記映像信号生成工程において生成されて出力される複数種類の映像信号をそれぞれ記録するための複数種類の記録フォーマットのうちの何れかを選択するフォーマット選択工程と、
前記フォーマット選択工程において選択された記録フォーマットに従って前記記録媒体を初期化処理する初期化工程と、
前記映像選択工程において選択されている種類の映像信号を、前記フォーマット選択工程において選択された記録フォーマットで前記記録媒体に記録することが可能であるか否かを判別する記録可否判別工程と、
前記記録可否判別工程の判別結果に応じた警告を表示装置に表示する警告表示工程とを有することを特徴とする撮像装置の制御方法。
【手続補正２】
【補正対象書類名】明細書
【補正対象項目名】００１１
【補正方法】変更
【補正の内容】
【００１１】
本発明の撮像装置は、装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告手段を有することを特徴とする。
また、本発明の撮像装置の他の特徴とするところは、撮像手段で撮影された映像を、方式が異なる複数種類の映像信号として出力する映像信号生成手段と、前記複数種類の映像信号のうちの一つを選択する映像選択手段と、前記映像選択手段の選択結果に応じて前記映像信号生成手段により生成された映像信号を記録媒体に記録する記録手段と、前記映像信号生成手段より出力される複数種類の映像信号をそれぞれ記録するための複数種類の記録フォーマットのうちの何れかを選択するフォーマット選択手段と、前記フォーマット選択手段により選択された記録フォーマットに従って前記記録媒体を初期化処理する初期化手段と、前記映像選択手段により選択されている種類の映像信号を、前記フォーマット選択手段によって選択された記録フォーマットで前記記録媒体に記録することが可能であるか否かを判別する記録可否判別手段と、前記記録可否判別手段の判別結果に応じた警告を表示装置に表示する警告表示手段とを有することを特徴とする。
【手続補正３】
【補正対象書類名】明細書
【補正対象項目名】００１２
【補正方法】変更
【補正の内容】
【００１２】
本発明の撮像装置の制御方法は、装着された記録媒体を初期化するためのフォーマットが使用者によって選択された際に、現在設定されている映像信号方式のファイルフォーマットで記録可能なフォーマットであるか否かを判断し、記録できない初期化フォーマットが選択された場合にはその旨を警告するフォーマット選択警告工程を有することを特徴とする。
また、本発明の撮像装置の制御方法の他の特徴とするところは、撮像工程で撮影された映像を、方式が異なる複数種類の映像信号として出力する映像信号生成工程と、前記複数種類の映像信号のうちの一つを選択する映像選択工程と、前記映像選択工程の選択結果に応じて前記映像信号生成工程において生成された映像信号を記録媒体に記録する記録工程と、前記映像信号生成工程において生成されて出力される複数種類の映像信号をそれぞれ記録するための複数種類の記録フォーマットのうちの何れかを選択するフォーマット選択工程と、前記フォーマット選択工程において選択された記録フォーマットに従って前記記録媒体を初期化処理する初期化工程と、前記映像選択工程において選択されている種類の映像信号を、前記フォーマット選択工程において選択された記録フォーマットで前記記録媒体に記録することが可能であるか否かを判別する記録可否判別工程と、前記記録可否判別工程の判別結果に応じた警告を表示装置に表示する警告表示工程とを有することを特徴とする。
【手続補正４】
【補正対象書類名】明細書
【補正対象項目名】００１３
【補正方法】削除
【補正の内容】
【手続補正書】
【提出日】平成21年8月27日(2009.8.27)
【手続補正１】
【補正対象書類名】特許請求の範囲
【補正対象項目名】全文
【補正方法】変更
【補正の内容】
【特許請求の範囲】
【請求項１】
撮像手段により生成される映像信号が従う第１の映像信号方式または第２の映像信号方式を使用者の操作に応じて選択する映像信号方式選択手段と、
前記映像信号方式選択手段により選択された映像信号方式に応じて、前記映像信号を記録媒体に記録可能な記録フォーマットを表示部に提示する提示手段とを備えることを特徴とする撮像装置。
【請求項２】
撮像手段から得られた撮像信号を用いて、第１の映像信号方式に従う第１の映像信号、または前記第１の映像信号方式とは異なる第２の映像信号方式に従う第２の映像信号を生成する映像信号生成手段と、
前記映像信号生成手段から出力される映像信号が従う映像信号方式を使用者の操作に応じて選択する映像信号方式選択手段と、
前記第１の映像信号を記録媒体に記録するための記録フォーマット、または前記第２の映像信号を前記記録媒体に記録するための記録フォーマットの何れか一方を使用者の操作に応じて選択する記録フォーマット選択手段と、
前記記録フォーマット選択手段により選択された記録フォーマットに従って前記記録媒体を初期化処理する初期化手段と、
前記映像信号生成手段により生成された第１の映像信号または第２の映像信号を前記初期化手段によって初期化処理された記録媒体に記録する記録手段と、
前記映像信号方式選択手段により選択された映像信号方式に応じて、前記記録フォーマット選択手段により選択可能な記録フォーマットを表示部に提示する提示手段とを備えることを特徴とする撮像装置。
【請求項３】
前記提示手段は、前記記録媒体に対する初期化処理に伴い、前記映像信号を前記記録媒体に記録可能な記録フォーマットを前記表示部に提示することを特徴とする請求項１または２に記載の撮像装置。
【請求項４】
前記記録媒体は光学ディスクであり、前記記録フォーマットはファイルフォーマットと映像信号の記録方式との組み合わせからなる記録フォーマットであることを特徴とする請求項１〜３の何れか１項に記載の撮像装置。
【請求項５】
前記第１の映像信号及び第２の映像信号はそれぞれ、解像度が互いに異なることを特徴とする請求項２に記載の撮像装置。
【請求項６】
撮像手段により生成される映像信号が従う第１の映像信号方式または第２の映像信号方式を使用者の操作に応じて選択する映像信号方式選択工程と、
前記映像信号方式選択工程において選択された映像信号方式に応じて、前記映像信号を記録媒体に記録可能な記録フォーマットを表示部に提示する提示工程とを備えることを特徴とする撮像装置の制御方法。
【請求項７】
撮像手段から得られた撮像信号を用いて、第１の映像信号方式に従う第１の映像信号、または前記第１の映像信号方式とは異なる第２の映像方式に従う第２の映像信号を生成する映像信号生成工程と、
前記映像信号生成工程において出力された映像信号が従う映像信号方式を使用者の操作に応じて選択する映像信号方式選択工程と、
前記第１の映像信号を記録媒体に記録するための記録フォーマット、または前記第２の映像信号を前記記録媒体に記録するための記録フォーマットの何れか一方を任意に選択する記録フォーマット選択工程と、
前記記録フォーマット選択工程において選択された記録フォーマットに従って前記記録媒体を初期化処理する初期化工程と、
前記映像信号生成工程において生成された第１の映像信号または第２の映像信号を前記初期化工程において初期化処理された記録媒体に記録する記録工程と、
前記映像信号方式選択工程において選択された映像信号方式に応じて、前記記録フォーマット選択工程において選択可能な記録フォーマットを表示部に提示する提示工程とを備えることを特徴とする撮像装置の制御方法。
【請求項８】
前記提示工程においては、前記記録媒体に対する初期化処理に伴い、前記映像信号を前記記録媒体に記録可能な記録フォーマットを前記表示部に提示することを特徴とする請求項６または７に記載の撮像装置の制御方法。
【請求項９】
前記記録媒体は光学ディスクであり、前記記録フォーマットはファイルフォーマットと映像信号の記録方式との組み合わせからなる記録フォーマットであることを特徴とする請求項６〜８の何れか１項に記載の撮像装置の制御方法。
【請求項１０】
前記第１の映像信号及び第２の映像信号はそれぞれ、解像度が互いに異なることを特徴とする請求項７に記載の撮像装置の制御方法。
【手続補正２】
【補正対象書類名】明細書
【補正対象項目名】０００１
【補正方法】変更
【補正の内容】
【０００１】
本発明は撮像装置、及び撮像装置の制御方法に関し、特に、複数種類の映像信号を複数種類の記録フォーマットにて記録するために用いて好適な技術に関する。
【手続補正３】
【補正対象書類名】明細書
【補正対象項目名】００１１
【補正方法】変更
【補正の内容】
【００１１】
本発明の撮像装置の制御方法は、撮像手段により生成される映像信号が従う第１の映像信号方式または第２の映像信号方式を使用者の操作に応じて選択する映像信号方式選択工程と、前記映像信号方式選択工程において選択された映像信号方式に応じて、前記映像信号を記録媒体に記録可能な記録フォーマットを表示部に提示する提示工程とを備えることを特徴とする。
また、本発明の撮像装置の制御方法の他の特徴とするところは、撮像手段から得られた撮像信号を用いて、第１の映像信号方式に従う第１の映像信号、または前記第１の映像信号方式とは異なる第２の映像方式に従う第２の映像信号を生成する映像信号生成工程と、前記映像信号生成工程において出力された映像信号が従う映像信号方式を使用者の操作に応じて選択する映像信号方式選択工程と、前記第１の映像信号を記録媒体に記録するための記録フォーマット、または前記第２の映像信号を前記記録媒体に記録するための記録フォーマットの何れか一方を任意に選択する記録フォーマット選択工程と、前記記録フォーマット選択工程において選択された記録フォーマットに従って前記記録媒体を初期化処理する初期化工程と、前記映像信号生成工程において生成された第１の映像信号または第２の映像信号を前記初期化工程において初期化処理された記録媒体に記録する記録工程と、前記映像信号方式選択工程において選択された映像信号方式に応じて、前記記録フォーマット選択工程において選択可能な記録フォーマットを表示部に提示する提示工程とを備えることを特徴とする。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正書】
【提出日】平成21年4月23日(2009.4.23)
【手続補正１】
【補正対象書類名】特許請求の範囲
【補正対象項目名】全文
【補正方法】変更
【補正の内容】
【特許請求の範囲】
【請求項１】
原稿より読み取られる画像データの読み取り条件を入力させる入力手段と、
前記入力手段が入力させた読み取り条件によって画像データを読み取る読み取り手段と、
前記読み取り手段によって読み取られる画像データが記録される第一の記憶手段と
前記読み取り条件と前記第一の記憶手段に記録される画像データの予測データ量との対応関係が記録された第二の記憶手段と、
前記読み取り条件と、前記第二の記憶手段に記憶された情報とに基づいて、読み取られる画像データのデータ量を予測するデータ量予測手段と、
予測されたデータ量と、前記第一の記憶手段に記録されている画像データのデータ量とに基づいて、前記画像データの読み取りの実行の是非を判定する判定手段とを有し、
前記判定手段の判定結果に応じて、前記画像データを読み取るタイミングを制御することを特徴とする画像形成装置。
【請求項２】
前記判定手段は、前記予測されたデータ量と前記第一の記憶手段に記録されている画像データのデータ量との合計が、前記画像データの入力処理の処理速度及び出力処理の処理速度に基づいて該出力処理の稼動状態が維持されるデータ量を超える場合は、前記画像データの読み取りの実行を待機する判定を行うことを特徴とする請求項１記載の画像形成装置。
【請求項３】
前記判定手段は、前記予測されたデータ量と前記第一の記憶手段に記録されている画像データのデータ量との合計が、前記入力処理に所定時間の障害が発生した場合であっても前記出力処理の稼動状態が維持されるデータ量を超える場合は、前記画像データの読み取りの実行を待機する判定を行うことを特徴とする請求項２記載の画像形成装置。
【請求項４】
前記判定手段は、画像データの読み取り指示が入力されたときに、前記画像データの読み取りの実行の是非を判定することを特徴とする請求項１乃至３いずれか一項記載の画像形成装置。
【請求項５】
前記判定手段は、前記原稿が配置されたことが検知されたときに、前記画像データの読み取りの実行の是非を判定することを特徴とする請求項１乃至３いずれか一項記載の画像形成装置。
【請求項６】
前記判定手段は、前記第一の記憶手段に記録されている画像データが破棄されたときに、前記画像データの読み取りの実行の是非を判定することを特徴とする請求項１乃至３いずれか一項記載の画像形成装置。
【請求項７】
前記判定手段は、前記第一の記憶手段に記録されている画像データが破棄された回数が所定の閾値に達したときに、前記画像データの読み取りの実行の是非を判定することを特徴とする請求項１乃至３いずれか一項記載の画像形成装置。
【請求項８】
前記判定手段は、前記第一の記憶手段より破棄された画像データのデータ量が所定の閾値に達したときに、前記画像データの読み取りの実行の是非を判定することを特徴とする請求項１乃至３いずれか一項記載の画像形成装置。
【請求項９】
画像形成装置が実行する情報処理方法であって、
原稿より読み取られる画像データの読み取り条件を入力させる入力手順と、
前記入力手順において入力された読み取り条件によって画像データを読み取る読み取り手順と、
前記読み取り手順において読み取られる画像データを第一の記憶手段に記録する第一の記憶手順と
前記入力手順において入力された読み取り条件と、第二の記憶手段に記録されている、読み取り条件と前記第一の記憶手順において記録される画像データの予測データ量との対応関係とに基づいて、読み取られる画像データのデータ量を予測するデータ量予測手順と、
予測されたデータ量と、前記第一の記憶手段に記録されている画像データのデータ量とに基づいて、前記画像データの読み取りの実行の是非を判定する判定手順とを有し、
前記判定手順の判定結果に応じて、前記画像データを読み取るタイミングを制御することを特徴とする情報処理方法。
【請求項１０】
前記判定手順は、前記予測されたデータ量と前記第一の記憶手段に記録されている画像データのデータ量との合計が、前記画像データの入力処理の処理速度及び出力処理の処理速度に基づいて該出力処理の稼動状態が維持されるデータ量を超える場合は、前記画像データの読み取りの実行を待機する判定を行うことを特徴とする請求項９記載の情報処理方法。
【請求項１１】
前記判定手順は、前記予測されたデータ量と前記第一の記憶手段に記録されている画像データのデータ量との合計が、前記入力処理に所定時間の障害が発生した場合であっても前記出力処理の稼動状態が維持されるデータ量を超える場合は、前記画像データの読み取りの実行を待機する判定を行うことを特徴とする請求項１０記載の画像形成装置。
【請求項１２】
請求項９乃至１１いずれか一項記載の情報処理方法をコンピュータに実行させるために情報処理プログラム。
【手続補正書】
【提出日】平成21年8月21日(2009.8.21)
【手続補正１】
【補正対象書類名】特許請求の範囲
【補正対象項目名】全文
【補正方法】変更
【補正の内容】
【特許請求の範囲】
【請求項１】
有限要素解析により、癌の凍結融解壊死療法の施術対象器官における凍結融解壊死療法装置の凍結用プローブからの熱伝導をシミュレートし、治療領域を推定する方法であって、凍結融解壊死療法の施術対象器官の熱伝導率を用いて有限要素法による熱伝導シミュレータを構築し、該熱伝導シミュレータにより熱伝導をシミュレートし、治療領域を推定する方法。
【請求項２】
癌の凍結融解壊死療法における施術対象器官の施術領域の熱伝導をシミュレートし、治療領域を推定する方法であって、少なくとも以下のステップ（１）から（３）が１回行なわれる方法：
（１）凍結融解壊死療法の施術対象器官の熱伝導率、血流及び代謝熱による熱流入を調整した熱伝導シミュレータを用いて、施術対象器官における凍結融解壊死療法装置の凍結用プローブからの熱伝導をシミュレートし、施術対象器官における凍結用プローブを中心とした温度分布を求め、凍結領域を推定するステップ；
（２）凍結融解壊死療法装置により凍結融解壊死治療を施した器官のX線CT画像データと（１）のステップで推定した凍結領域を比較するステップ；及び
（３）（２）の比較により凍結融解壊死療法による治療部位を推定するステップ。
【請求項３】
癌の凍結融解壊死療法において、治療領域を推定するための装置であって、
（a）凍結融解壊死療法の施術対象器官の熱伝導率、血流及び代謝熱による熱流入を調整した、施術対象器官における凍結融解壊死療法装置の凍結用プローブからの熱伝導をシミュレートするための熱伝導シミュレータを格納する記憶手段、
（b)(a)の熱伝導シミュレータにより凍結用プローブを中心とした施術対象器官の温度分布を推定するための演算手段、及び
(c)(b)の演算手段により解析された温度分布を表示する手段、を含む装置。
【請求項４】
癌の凍結融解壊死療法において、治療領域を推定するための装置であって、
(a）凍結融解壊死療法の施術対象器官の熱伝導率、血流及び代謝熱による熱流入を調整した、施術対象器官における凍結融解壊死療法装置の凍結用プローブからの熱伝導をシミュレートするための熱伝導シミュレータを格納する記憶手段、
(b)(a)の熱伝導シミュレータにより凍結用プローブを中心とした施術対象器官の温度分布を推定するための演算手段、
(c)X線CT装置により得られたX線CT画像データを受け取る手段、及び
(d)(b)の演算手段により解析された温度分布と(c)で受け取ったX線CT画像データを比較して、その結果を表示する手段、を含む装置。
【請求項５】
癌の凍結融解壊死療法における施術部位の熱伝導をシミュレートし、治療領域を推定するためのプログラムであって、
コンピュータを、
（i）凍結融解壊死療法の施術対象器官の熱伝導率、血流及び代謝熱による熱流入を調整した、施術対象器官における凍結融解壊死療法装置の凍結用プローブからの熱伝導をシミュレートするための熱伝導シミュレータを格納する記憶手段、
（ii)(i)の熱伝導シミュレータにより凍結用プローブを中心とした施術対象器官の温度分布を推定するための演算手段、及び
(iii)(ii)の演算手段により解析された施術器官における温度分布を表示する手段
として機能させるためのプログラム。
【手続補正書】
【提出日】平成21年6月22日(2009.6.22)
【手続補正１】
【補正対象書類名】特許請求の範囲
【補正対象項目名】全文
【補正方法】変更
【補正の内容】
【特許請求の範囲】
【請求項１】
遊技を統括管理する主制御手段と、
可聴音を出力する可聴音出力手段と、
前記主制御手段から出力される制御信号に基づいて前記可聴音出力手段の出力制御を行う副制御手段と
を備えた遊技機において、
前記可聴音の音量を調節操作可能な音量調節手段を設け、
前記副制御手段は、
前記音量調節手段の調節状態を取得する状態取得手段と、
前記主制御手段から第１制御信号が出力された場合、前記状態取得手段の取得結果に応じた音量で、前記可聴音として楽音を出力するよう前記可聴音出力手段を出力制御する第１出力制御手段と、
前記主制御手段から第２制御信号が出力された場合、前記音量調節手段の状態に関わらず、最大音量で、前記可聴音として報知音を出力するよう前記可聴音出力手段を出力制御する第２出力制御手段と
を備えることを特徴とする遊技機。
【請求項２】
前記副制御手段と前記可聴音出力手段とを、出力可能な音量毎に異なる出力経路によって接続し、
前記第１出力制御手段は、前記楽音を出力させるための楽音情報を、前記状態取得手段の取得結果に応じた出力経路から前記可聴音出力手段に出力し、前記第２出力制御手段は、前記報知音を出力させるための報知音情報を、最大音量を出力できる最大出力経路から前記可聴音出力手段に出力することを特徴とする請求項１に記載の遊技機。
【請求項３】
前記最大出力経路と、前記第１出力制御手段が前記楽音情報を出力可能な出力経路とを別個に設けたことを特徴とする請求項２に記載の遊技機。
【請求項４】
前記第２出力制御手段は、前記可聴音出力手段が前記楽音を出力している場合、前記楽音が前記可聴音出力手段から出力されないように前記楽音の音量を変更することを特徴とする請求項１乃至３のいずれか一項に記載の遊技機。
【請求項５】
前記主制御手段は、遊技に関わる遊技情報を記憶保持する記憶保持手段と、前記記憶保持手段の記憶保持する遊技情報を初期化する初期化手段と、前記初期化手段による初期化を行わせるか否かを決定する初期化決定手段とを備え、前記初期化決定手段が前記初期化手段による初期化を行わせると決定した場合に前記第２制御信号を出力することを特徴とする請求項１乃至４のいずれか一項に記載の遊技機。
【請求項６】
各種遊技部品が設けられた遊技機本体と、前記遊技機本体の前面側に開閉可能に取り付けられた前面部と、前記前面部の開放を検知する開放検知手段とを備え、前記主制御手段は、前記開放検知手段が前記前面部の開放を検知した場合に、前記第２制御信号を出力することを特徴とする請求項１乃至５のいずれか一項に記載の遊技機。
【請求項７】
取付対象に開閉可能に取り付けられると共に各種遊技部品が設けられた遊技機本体と、前記遊技機本体の開放を検知する第２開放検知手段とを備え、前記主制御手段は、前記第２開放検知手段が前記遊技機本体の開放を検知した場合に、前記第２制御信号を出力することを特徴とする請求項１乃至６のいずれか一項に記載の遊技機。
【請求項８】
遊技媒体を払い出す払出機構と、前記払出機構から前記遊技媒体を払い出すことができないことを検知する払出不可状態検知手段とを備え、前記主制御手段は、前記払出不可状態検知手段が前記遊技媒体を払い出すことができないことを検知した場合に前記第２制御信号を出力することを特徴とする請求項１乃至７のいずれか一項に記載の遊技機。
【請求項９】
遊技媒体を払い出す払出機構と、前記払出機構から払い出された遊技媒体を貯留することが可能な貯留部と、前記貯留部に所定数以上の遊技媒体が貯留されたことを検知する貯留検知手段とを備え、前記主制御手段は、前記貯留検知手段が前記所定数以上の遊技媒体が貯留されたことを検知した場合に前記第２制御信号を出力することを特徴とする請求項１乃至８のいずれか一項に記載の遊技機。
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、遊技領域に設けられた第１の始動領域に遊技球が入賞したことにもとづいて遊技球が進入し難いまたは進入しない第１の状態から遊技球が進入しやすい第２の状態となる動作を行う第１の可変入賞装置を備え、前記第１の可変入賞装置に設けられている特別領域に遊技球が入賞したことにもとづいて遊技状態を遊技者にとって有利な特定遊技状態に移行させることが可能な遊技機であって、
前記第１の始動領域に遊技球が入賞しない閉状態と前記第１の始動領域に遊技球が入賞可能な開状態とに変化可能であり、前記遊技領域に設けられた第２の始動領域に遊技球が入賞したことにもとづいて当該開状態となる第２の可変入賞装置と、
前記第１の始動領域に入賞した遊技球を検出して検出信号を出力する検出手段と、
遊技の進行を制御する遊技制御手段とを備え、
前記遊技制御手段は、
前記第２の可変入賞装置の開閉状態を判定する開閉判定手段と、
該開閉判定手段によって前記第２の可変入賞装置が閉状態であると判定されているときに、前記検出手段によって遊技球の入賞が検出されたことにもとづいて、異常報知を実行する異常報知手段とを含み、
該異常報知手段は、前記第１の可変入賞装置の状態にかかわらず異常報知を実行可能である
ことを特徴とする遊技機。
【請求項２】
開閉判定手段によって第２の可変入賞装置が閉状態であると判定されているときに、検出手段によって遊技球の入賞が検出された場合、第１の可変入賞装置の動作の開始を禁止する動作禁止手段を備えた
請求項１記載の遊技機。
【請求項３】
第１の始動領域に遊技球が入賞したことに応じて遊技球を払い出す制御を実行する払出制御手段を備え、
前記払出制御手段は、開閉判定手段によって第２の可変入賞装置が閉状態であると判定されているときに、検出手段によって遊技球の入賞が検出されたことにもとづいて、遊技球を払い出す制御の実行を禁止する払出制御禁止手段を含む
請求項１または請求項２記載の遊技機。
【請求項４】
遊技制御手段は、
所定の数値を更新する数値更新手段と、
所定の時期に前記数値更新手段から数値を抽出する数値抽出手段と、
前記数値抽出手段が抽出した数値にもとづいて識別情報の可変表示の表示結果を特定可能な情報を決定する表示結果決定手段と、
遊技機に対する電力供給が開始されたときに、前記数値を初期値に設定する初期化処理を実行する初期化手段とを含み、
前記初期化手段が初期化処理を実行したときに、所定の終了条件が成立するまで初期化処理が実行されたことを示す初期化報知を行う初期化報知手段と、
前記初期化報知手段が初期化報知を行っているときに、異常報知手段による異常報知の開始を禁止する異常報知禁止手段とを備えた
請求項１から請求項３のうちのいずれかに記載の遊技機。
【請求項５】
特定遊技状態において遊技球が入賞しない状態から入賞しやすい状態に変化可能な特別可変入賞装置と、
前記特別可変入賞装置に入賞した遊技球を検出して検出信号を出力する入賞検出手段とを備え、
遊技制御手段は、前記入賞検出手段からの前記検出信号を入力したか否かを判定する入賞判定手段を含み、
異常報知手段は、前記特定遊技状態以外の遊技状態において前記入賞判定手段が前記検出信号を入力したことにもとづいて、異常報知を実行する
請求項１から請求項４のうちのいずれかに記載の遊技機。
【請求項６】
遊技制御手段は、遊技進行状態を示すデータにもとづいて可変表示装置および特別可変入賞装置の状態を制御する状態制御手段を含み、
異常報知手段は、前記遊技進行状態を示すデータが所定範囲の数値を示しているときに、入賞判定手段が検出信号を入力したことにもとづいて、異常報知を実行する
請求項５記載の遊技機。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００２７
【補正方法】削除
【補正の内容】
【手続補正５】
【補正対象書類名】明細書
【補正対象項目名】００２８
【補正方法】削除
【補正の内容】
【手続補正書】
【提出日】平成21年7月23日(2009.7.23)
【手続補正１】
【補正対象書類名】特許請求の範囲
【補正対象項目名】全文
【補正方法】変更
【補正の内容】
【特許請求の範囲】
【請求項１】
遊技球を用いて所定の遊技を行うことが可能であり、所定の入賞口への入賞にもとづいて開放状態に変化可能な可変入賞球装置を備え、前記可変入賞球装置に設けられている特別領域に遊技球が入賞したことにもとづいて遊技状態を遊技者にとって有利な特定遊技状態に移行させることが可能な遊技機であって、
前記可変入賞球装置に設けられている入賞領域に入賞した遊技球を検出して検出信号を出力する入賞検出手段と、
前記可変入賞球装置に進入した遊技球が該可変入賞球装置から排出されたことを特定可能な検出信号を出力する排出検出手段と、
遊技の進行を制御する遊技制御手段とを備え、
前記遊技制御手段は、
前記入賞検出手段からの前記検出信号を入力したか否かを判定する入賞判定手段と、
前記排出検出手段からの前記検出信号にもとづいて、前記可変入賞球装置に進入した遊技球が該可変入賞球装置から排出されたか否かを判定する排出判定手段と、
前記可変入賞球装置が開放状態に変化したときに、前記可変入賞球装置に進入した遊技球が該可変入賞球装置から排出されたことが前記排出判定手段により判定されたことを条件に、前記入賞判定手段が前記検出信号を入力したことにもとづいて、異常入賞が生じたと判定する異常判定手段とを含む
ことを特徴とする遊技機。
【請求項２】
入賞領域に遊技球が入賞したことに応じて景品遊技球を払い出す制御を実行する景品遊技球払出制御手段を備え、
前記景品遊技球払出制御手段は、異常判定手段が異常入賞が生じたと判定したときには当該入賞にもとづく景品遊技球を払い出す制御の実行を禁止する払出制御禁止手段を含む
請求項１記載の遊技機。
【請求項３】
遊技制御手段は、異常判定手段が異常入賞が生じたと判定したときに、異常報知の実行を指示するための異常報知コマンドを送信する異常報知コマンド送信手段を含み、
前記遊技制御手段が送信するコマンドにもとづいて、演出装置の制御を行う演出制御手段を備え、
前記演出制御手段は、前記異常報知コマンド送信手段が送信した異常報知コマンドにもとづいて、前記演出装置により異常報知を行う異常報知手段を含み、
前記異常報知手段は、遊技機に対する電力供給が停止するまで異常報知を継続する
請求項１または請求項２記載の遊技機。
【請求項４】
入賞検出手段は、遊技球が可変入賞球装置に進入したときに検出信号を出力する進入検出手段を含み、
遊技制御手段は、
排出異常の異常報知の実行を指示するための排出異常報知コマンドを送信する排出異常報知コマンド送信手段と、
可変入賞球装置が開放状態に変化してから所定時間が経過しても、前記進入検出手段からの検出信号の数と排出検出手段からの検出信号の数とが同じにならないときに排出異常が生じたと判定する排出異常判定手段とを含み、
前記遊技制御手段が送信するコマンドにもとづいて、演出装置の制御を行う演出制御手段を備え、
前記演出制御手段は、前記排出異常報知コマンド送信手段が送信した排出異常報知コマンドにもとづいて、前記演出装置により排出異常報知を行う排出異常報知手段を含む
請求項１から請求項３のうちのいずれかに記載の遊技機。
【請求項５】
開放状態に変化可能な特定可変入賞球装置と、
前記特定可変入賞球装置に入賞した遊技球を検出して検出信号を出力する特定入賞検出手段とを備え、
遊技制御手段は、
前記特定入賞検出手段からの前記検出信号を入力したか否かを判定する特定入賞判定手段と、
前記特定可変入賞球装置が開放状態に制御される特別遊技状態以外の遊技状態において前記特定入賞判定手段が前記検出信号を入力したと判定すると、前記特定可変入賞球装置への異常入賞が生じたと判定する特定異常判定手段とを含む
請求項１から請求項４のうちのいずれかに記載の遊技機。
【請求項６】
異常報知手段は、異常判定手段により判定された異常入賞と、特定異常判定手段により判定された異常入賞の判定とを区別可能に異常報知を行う
請求項５記載の遊技機。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】変更
【補正の内容】
【００２５】
請求項５記載の発明では、遊技制御手段が、特定可変入賞球装置が開放状態に制御される特別遊技状態以外の遊技状態において特定入賞判定手段が検出信号を入力したと判定すると、特定可変入賞球装置への異常入賞が生じたと判定する特定異常判定手段を含むので、特別遊技状態において遊技球が入賞し難い状態から入賞しやすい状態に変化可能な特定可変入賞球装置に関しても、遊技状態に応じて、異常入賞が生じているのか否かを確実に検出できる。
【手続補正７】
【補正対象書類名】明細書
【補正対象項目名】００２６
【補正方法】変更
【補正の内容】
【００２６】
請求項６記載の発明では、異常報知手段が、異常判定手段により判定された異常入賞と、特定異常判定手段により判定された異常入賞とを区別可能に異常報知を行うように構成されているので、可変入賞球装置に関する異常入賞と特定可変入賞球装置に関する異常入賞とを容易に区別することができる。
【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
自動車洗浄用あるいは車両洗浄用の洗車機用洗浄ブラシにおいて、前記洗車機用洗浄ブラシは、軸体、及び複数の連結体を有し、前記連結体は、台座、及びブラシ片を有すると共に、前記ブラシ片は、前記台座の外周部に形成されてあり、前記台座は前記軸体にたいして仮止め手段を有するか、あるいは前記台座は相互に仮止め手段を有することを特徴とする洗車機用洗浄ブラシ。
【請求項２】
請求項１記載の構成よりなる洗車機用洗浄ブラシにおいて、台座の軸体にたいする仮止め手段は、前記台座に形成された嵌合片が、前記軸体に形成された穴部にたいして側方から略垂直に当接し、前記軸体の長手方向に移動して保持されることを特徴とする洗車機用洗浄ブラシ。
【請求項３】
駆動源と、被洗浄面に散布する洗浄剤及び水を噴出させるノズルと、洗浄後の被洗浄面を乾燥させる乾燥手段を備えると共に、請求項１から２のいずれか１項に記載の洗車機用洗浄ブラシを搭載したことを特徴とする洗車機。
【手続補正２】
【補正対象書類名】明細書
【補正対象項目名】０００９
【補正方法】変更
【補正の内容】
【０００９】
請求項２の洗車機用洗浄ブラシは、台座の軸体にたいする仮止め手段は、前記台座に形成された嵌合片が、前記軸体に形成された穴部にたいして側方から略垂直に当接し、前記軸体の長手方向に移動して保持される。その為、台座を軸体に乗せて移動させることができる。その為、軸体にたいして、少ない押付け力で保持できる。
【手続補正３】
【補正対象書類名】明細書
【補正対象項目名】００１３
【補正方法】変更
【補正の内容】
【００１３】
請求項２の洗車機用洗浄ブラシは、台座の軸体にたいする仮止め手段は、前記台座に形成された嵌合片が、前記軸体に形成された穴部にたいして側方から略垂直に当接し、前記軸体の長手方向に移動して保持される。その為、軸体にたいして、少ない押付け力にて保持できる。また、台座は軸体にたいして位置ズレ、脱落等が無く保持できる。
【手続補正４】
【補正対象書類名】明細書
【補正対象項目名】００１６
【補正方法】変更
【補正の内容】
【００１６】
第２の発明は、第１の発明の洗車機用洗浄ブラシにおいて、台座の軸体にたいする仮止め手段は、前記台座に形成された嵌合片が、前記軸体に形成された穴部にたいして側方から略垂直に当接し、前記軸体の長手方向に移動して保持される。その為、台座を軸体に乗せて移動させることができる。その為、軸体にたいして、少ない押付け力で保持できる。また、台座は軸体にたいして位置ズレ、脱落等が無く保持できる。その為、高速回転で使用した場合においても、極めて高い安全兼ね備えて使用することができる。